(57)【特許請求の範囲】
【請求項１】
複合保持具が組込まれたキャップを備えた筆記具であって、
前記複合保持具は、異種又は同種の用途に供される媒体を夫々保持した複数の保持体を収納するケーシングと、ケーシング内で前記保持体を軸方向に移動可能に支持する支持部と、ケーシング内に設けられ、複数の保持体のいずれかを選択的に前進させる繰出し機構と、繰出し機構を作動するための操作機構と、を備え、操作機構を操作することにより、繰出し機構を作動させて複数の保持体のいずれかの保持体の先端をケーシングの先端の先端開口から突出させて使用可能とし、前記支持部に支持される保持体の被支持部は、支持部に対して回動自在に支持されることを特徴とする複合保持具が組込まれたキャップを備えた筆記具。
【請求項２】
前記支持部と、前記各保持体に設けられた被支持部との間に球面軸受が形成されることを特徴とする請求項１記載の複合保持具が組込まれたキャップを備えた筆記具。
【請求項３】
前記球面軸受は、前記支持部及び保持体に設けられた被支持部のいずれか一方に形成された球状部と、前記支持部及び保持体に設けられた被支持部のいずれか他方に形成され前記球状部を受ける凹面部と、から構成されることを特徴とする請求項２記載の複合保持具が組込まれたキャップを備えた筆記具。
【請求項４】
前記媒体が、筆記芯、インキ、固形糊、消しゴム、修正液等の文具用の媒体と、口紅、アイペンシル、アイライナ、アイブローペンシル等の化粧用の媒体と、スタイラスチップ等のデータ入力用の媒体とから成るグループから選択された媒体であることを特徴とする請求項１ないし３のいずれか１項に記載の複合保持具が組込まれたキャップを備えた筆記具。
【発明の詳細な説明】
【０００１】
【発明の属する技術分野】
本発明は、文具用の媒体（例えば、筆記芯、インキ、固形糊、消しゴム、修正液）、化粧用の媒体（例えば、口紅、アイペンシル、アイライナ、アイブローペンシル）、またはデータ入力用の媒体（例えば、スタイラスチップ）等を保持する複数の保持体を収納しており、その複数の保持体のいずれかを選択的に突出させて使用可能とする複合保持具が組込まれたキャップを備えた筆記具に関する。
【０００２】
【従来の技術】
従来の複合保持具としては、例えば、特公昭５５−３８２８０号公報に記載されたものが知られている。この従来例では、先端開口を有する軸ケースと、軸方向に延びる直径的に相対向する２つのガイド溝を有しており、軸ケースの後端開口に固着されたガイドと、対応するガイド溝に案内されるスライダを有するシャープペンシル要素（保持体）とボールペン要素（保持体）と、前記ガイドの周りを一定角度回転可能でかつ該ガイドに関して軸方向に推移可能に該ガイドを包囲し、一方へ回動するときは前記両保持体のうちの一方の保持体の先端を前記軸ケースの先端開口から突出せしめ、他方へ回動するときは前記一方の保持体を後退せしめて他方の保持体の先端を前記軸ケースの先端開口から突出せしめるように、前記スライダと係合するカムスライド面を下端面に形成したスリーブ作動カムとからなっている。
【０００３】
【発明が解決しようとする課題】
しかしながら、保持体であるシャープペンシル要素またはボールペン要素が軸ケース内に収納された収納位置は、軸ケースの軸心から偏心しているにもかかわらず、保持体の突出位置となる軸ケースの先端開口は軸ケースの軸心上にあり、これらの間に径方向の位置ずれが存在している。そのため、かかる上記従来の構成では、保持体が前進するときに、保持体の先端が軸ケースの内周面に当たりながら軸ケースの径方向へ強制的に偏位させられつつ軸ケースの先端開口に向かって移動する。そのため、場合によっては保持体の先端が軸ケースの内周面に引っ掛かって軸ケースの先端開口から突出することができない、ということも起こる。そのために、保持体を可撓性材料で作製するか、または保持体の軸方向の長さをある程度長くとって、屈曲性を高めなければならず、保持体の材料や寸法の選択の自由度が低いという問題がある。
【０００４】
本発明は、かかる課題に鑑みなされたもので、その目的は、保持体の材料や寸法について配慮をめぐらすことなく、収納された複数の保持体の中から選択された保持体を前進させてその先端を円滑にケーシングの先端開口から突出させることができ、従って、保持体の材料や寸法の自由度を高めることができる複合保持具が組込まれたキャップを備えた筆記具を提供することである。
【０００５】
【課題を解決するための手段】
上記目的を達成するために本発明のうち請求項１記載の発明は、複合保持具が組込まれたキャップを備えた筆記具であって、前記複合保持具は、異種又は同種の用途に供される媒体を夫々保持した複数の保持体を収納するケーシングと、ケーシング内で前記保持体を軸方向に移動可能に支持する支持部と、ケーシング内に設けられ、複数の保持体のいずれかを選択的に前進させる繰出し機構と、繰出し機構を作動するための操作機構と、を備え、操作機構を操作することにより、繰出し機構を作動させて複数の保持体のいずれかの保持体の先端をケーシングの先端の先端開口から突出させて使用可能とし、前記支持部に支持される保持体の被支持部は、支持部に対して回動自在に支持されることを特徴とする。
【０００６】
繰出し機構の作動により複数の保持体のいずれかの保持体が前進すると、その先端が先端開口から突出する。このとき、ケーシング内で保持体が収納されていた状態における保持体の先端の位置と、ケーシングの先端の先端開口から突出された状態における保持体の先端の位置とが、径方向にずれていたとしても、保持体の被支持部が支持部に対して回動するために、保持体自体が大きく屈曲することなく、また、保持体がケーシングの内周面に当たって大きな抵抗を受けることなく、ケーシングの先端開口から保持体の先端が突出することができる。従って、保持体に大きな屈曲性を必要としないために、保持体を構成する材料または保持体の長さについて制約を受けず、設計の自由度を高めることができる。
【０００７】
前記支持部と、前記各保持体に設けられた被支持部との間に球面軸受が形成されることにより、被支持部を支持部に対して回動自在に支持させることができる。この球面軸受は、前記支持部及び保持体に設けられた被支持部のいずれか一方に形成された球状部と、前記支持部及び保持体に設けられた被支持部のいずれか他方に形成され前記球状部を受ける凹面部と、から構成することができる。
前記媒体は、筆記芯、インキ、固定糊、消しゴム、修正液等の文具用の媒体と、口紅、アイペンシル、アイライナ、アイブローペンシル等の化粧用の媒体と、スタイラスチップ等のデータ入力用の媒体とから成るグループから選択された媒体とすることができる。
【０００９】
【発明の実施の形態】
以下、図面を用いて本発明の実施の形態を説明する。図１ないし図１１は本発明の第１実施形態を表す図である。
【００１０】
図において、符号１０は本発明に係る複合保持具の一例としての筆記具全体を表しており、筆記具１０は、主として、筆記具本体１２と、筆記具本体１２に着脱可能に被着されるキャップ１４とを備えている。そして、このキャップ１４に複合保持具が組み込まれている。
【００１１】
図２にキャップ１４の拡大図を示す。キャップ１４に組み込まれた複合保持具は、主として、複数の保持体２１、２２を軸方向にほぼ重ねて収納するケーシング２０と、ケーシング２０内で複数の保持体２１、２２を軸方向に移動可能に支持する支持部２３と、ケーシング２０内に設けられ複数の保持体２１、２２のいずれかを選択的に突出させる繰出し機構２４と、繰出し機構２４を作動するための操作機構２６と、を備えており、複数の保持体２１、２２を選択的に突出させて使用することができるものとなっている。保持体２１、２２として、図示の例では、色の異なるインキをそれぞれ収納する２本のボールペン軸となっている。以下、各機構を詳細に説明する。
【００１２】
ケーシング２０は、外側キャップ３０と、後軸３２と、先具３４とから構成される。後軸３２の後端は、外側キャップ３０内に接着等の任意の固着手段により固着されており、従って、後軸３２と外側キャップ３０は、一体的に結合される。また、後軸３２と外側キャップ３０との間で、クリップ３６の基部を挟着している。これらの後軸３２、外側キャップ３０及びクリップ３６は、一体部品とすることも可能である。後軸３２の先側には、先具３４が後軸３２に対して相対回転可能に配設される。先具３４は、ケーシング２０内に配設されるスライド受け４０の先端外周面に形成されたネジ部に螺着されており、螺着された状態で、先具３４とスライド受け４０は一体回転するようになっている。そして、先具３４の先端にある先端開口３４ａが、ケーシング２０の先端開口として、前記保持体２１、２２の先端が選択的に突出されるためのものとなっている。
【００１３】
前記ケーシング２０のうちの一体となった外側キャップ３０と後軸３２の後部内側には、カムハウジング４４と内側キャップ４６とが固定される。内側キャップ４６の先端部は、後軸３２の後端内周面に形成されたネジ部に螺着されており、内側キャップ４６の内側空間は、キャップ１４が保護する筆記具本体１２の筆記先１２ａ（図１）が格納される空間となる。
【００１４】
内側キャップ４６の先端と後軸３２の段部３２ａとの間には、カムハウジング４４の鍔部４４ａ（図３参照）が挟み付けられる。カムハウジング４４には、図３に示すように、その先端側にカム面４４ｂが形成されており、さらにカム面４４ｂと周方向に対向して軸方向に突出するリブ４４ｄが形成される。リブ４４ｄが、後軸３２の対応する部分に形成された凹部３２ｃにはまりこんで、カムハウジング４４の後軸３２に対する相対回転が禁止されて、カムハウジング４４と後軸３２とは一体となる。また、後軸３２の内周面には、カムハウジング４４のカム面４４ｂに対応して、同様のカム面３２ｂが形成されている。カムハウジング４４が後軸３２に固定された状態で、これらのカム面４４ｂとカム面３２ｂとの間には、軸方向のクリアランスが形成されており、このクリアランスがカム路４８となる。このカム路４８は、図４に示す如くに展開図で見てほぼＶ字形状をなして、その突出端が先端側に位置づけられており、さらにその突出端においては、カム面４４ｂに小さな凹部となった係止部４４ｃが形成されている。
【００１５】
前記先具３４に螺着されるスライド受け４０は、ケーシング２０内を軸方向に伸びており、図５及び図１０に示すように、その後部には、係止片４０ａ、４０ａが形成されている。これらの係止片４０ａ、４０ａは、前記カムハウジング４４の鍔部４４ａに径方向内側から係止され、スライド受け４０に対して相対回転可能となっている。また、係止片４０ａ、４０ａのさらに径方向内側には、前記内側キャップ４６の頭部４６ａがはまりこんで、係止片４０ａ、４０ａが径方向内側に倒れ込むのを防止しており、これによって、係止片４０ａが鍔部４４ａから外れるのを防止している（図６参照）。
【００１６】
さらに、スライド受け４０には、収納される保持体２１、２２の本数に対応して軸方向に伸びるガイド溝４０ｂが形成されており、このガイド溝４０ｂ内を保持体２１、２２が軸方向移動可能に配設される。即ち、保持体２１、２２の後端部には、被支持部としての保持体受け５０が設けられ、この保持体受け５０が、支持部２３であるスライダー５２に支持されており、スライダー５２がスライド受け４０のガイド溝４０ｂにスライド可能にはめ込まれている（図７参照）。図８及び図９に示すように、保持体受け５０は、その先部が保持体２１、２２であるボールペン軸内に挿入されており、その後部が球面形状をした球状部５０ａとなっている。一方のスライダー５２には、その内周面に球状部５０ａを支承する凹面部５２ａが形成されている。球状部５０ａ及び凹面部５２ａとで球面軸受が形成され、スライダー５２に対して保持体受け５０が角度の自由度を持って回動自在に支承される。
【００１７】
スライダー５２には、その外周面に突起５２ｂが形成されており、突起５２ｂが前記カム路４８に摺動可能にはめ込まれる。また、スライダー５２とスライド受け４０の仕切り壁４０ｃとの間には、リターンスプリング５４が介挿されて、スライダー５２を後方へと付勢している。リターンスプリング５４は、スライダー５２のガタ付きを防止するためのものであり、スライダー５２の突起５２ｂがカムハウジング４４のカム面４４ｂと後軸３２のカム面３２ｂとにより形成されたカム路４８に、両カム面４４ｂ、３２ｂにサンドイッチされた状態で嵌め込まれているので、カム路４８が正確な寸法をもって形成されている場合には、省略することも可能である。図１０に示すように、仕切り壁４０ｃには、保持体２１、２２が挿通する貫通孔４０ｄ、４０ｄが形成されており、各貫通孔４０ｄの形状は、円形ではなく、径方向に長くなった長孔となっている。
【００１８】
以上のカム路４８とスライダー５２の突起５２ｂとによって前記繰出し機構２４が構成され、また、相対回転可能となった先具３４と後軸３２とによって前記操作機構２６が構成される。
【００１９】
以上のように構成される複合保持具１４の保持体２１、２２は、図１の状態においては、いずれもその先端が先具３４の先端開口３４ａよりも内側にあって、軸方向に互いにほぼ重なり合って収納されており、このとき、それぞれの保持体２１、２２の保持体受け５０を支持するスライダー５２の突起５２ｂは、カム路４８の中間位置に位置付けられている（図４の収納位置）。
【００２０】
いずれかの保持体２１、２２を使用する場合には、次のように行う。即ち、後軸３２に対して先具３４を所定の方向に回転する。これにより、先具３４と一体のスライド受け４０が後軸３２に対して所定の方向に回転する。スライド受け４０のガイド溝４０ｂにはめ込まれたスライダー５２、５２も一体に回転するために、各スライダー５２の突起５２ｂがカム路４８に沿って軸方向に移動し、２つのスライダー５２のうちの一方が前進し、他方が後退する。前進したスライダー５２に、保持体２１の保持体受け５０が支持されていたとすると、保持体２１がスライダー５２と共に前進する。このとき、前進した保持体２１の保持体受け５０は、前進するのに伴って、その球状部５０ａが凹面部５２ａを摺接して、保持体受け５０がスライダー５２に対して互いに一直線上にあった状態から回動して傾斜していくことにより、保持体２１の先端の動きに追従していく。保持体２１の先端は先具３４の内周面に沿っていきながら、軸線上にある先端開口３４ａから突出する。カム路４８を前進したスライダー５２の突起５２ｂは、カム路４８の先端にある係止部４４ｃに係止されると、前進した位置で停止する（図４の前進位置）。こうして、このスライダー５２に支持された保持体２１の先端が、先端開口３４ａから突出した状態に保持されて、図１１の状態となり、保持体２１は使用可能となる。また、他方の保持体２２の保持体受け５０を支持するスライダー５２は、カム路４８を後退して、図４の後退位置で停止する。
【００２１】
また、図１の状態から、後軸３２に対して先具３４を前述の所定の方向と反対の方向に回転すると、保持体２２が前進して、保持体２１が後退する。このときに、保持体２２の保持体受け５０は、その球状部５０ａが対応するスライダー５２の凹面部５２ａを摺接して、スライダー５２に対して回動して傾斜していくことにより、保持体２２の先端の動きに追従していく。保持体２２の先端は先具３４の内周面に沿っていきながら、軸線上にある先端開口３４ａから突出するのは、保持体２１の前述した先端の動作と同様である。
【００２２】
前進した保持体２１または２２を後退させる場合には、後軸３２に対して先具３４を、保持体２１、２２を前進させたときと反対の方向に回転することにより、前進した保持体を支持するスライダー５２の突起５２ｂが、カム路４８に沿って軸方向に後退し、後退した保持体を所持するスライダー５２の突起５２ｂが、カム路４８に沿って軸方向に前進して、図１の状態に戻る。球状部５０ａと凹面部５２ａとの関係も元の状態に戻る。
【００２３】
このように、保持体２１、２２はケーシング２０に引っ掛かって抵抗を受けることもなく、円滑に出没することができる。また、従って、保持体２１、２２自体は屈曲せずとも円滑に突出することができるため、例えば、保持体２１、２２に硬い金属製のパイプを使用したり、または、この例のようにキャップ１４内に収まる短い寸法の保持体２１、２２とすることができるようになる。
【００２４】
図１２は、第２実施形態を表す図であり、第１実施形態と同じ部材は同一の符号を付し、その詳細説明を省略する。この例では、一方の保持体６２がシャープペンシル軸となっており、他方の保持体２２が第１実施形態と同じボールペン軸となっている。このシャープペンシル軸である保持体６２は、芯を収容する芯タンク６２ａと、芯タンク６２ａに連結される継手６２ｂと、継手６２ｂに後端が圧入されるチャック６２ｃと、チャック６２ｃの頭部に外嵌されるチャックリング６２ｄと、チャックリング６２ｄの後端位置を規制するスリーブ６２ｅと、スリーブ６２ｅと継手６２ｂとの間に介挿されたリターンスプリング６２ｆと、スリーブ６２ｅに固着される先具６２ｇと、先具６２ｇ内に設けられたパッキン６２ｈとから構成される。
【００２５】
また、この実施形態では、後軸３２’のカム面３２’ｂとカムハウジング４４’のカム面４４’ｂとによって形成されるカム路４８’が、図１３及び図１４に示すように、シャープペンシル軸６２に対応するスライダー５２が摺動するカム路部４８’−１と、ボールペン軸２２に対応するスライダー５２が摺動するカム路部４８’−２とに分離されている。カム路部４８’−１の先端よりもやや後退した位置において、カム面４４’ｂには小さな凹部となった係止部４４’ｃが形成され、カム路部４８’−２の先端の位置において、カム面４４’ｂには、小さな凹部となった係止部４４’ｄが形成されている。
【００２６】
この実施形態においても、ボールペン軸２２の先端を突出させるのは、第１実施形態の場合と同じである。シャープペンシル軸６２を突出させる場合には、後軸３２’に対して先具３４を所定の方向に回転する。これにより、先具３４と一体のスライド受け４０が後軸３２’に対して所定の方向に回転する。スライド受け４０のガイド溝４０ｂにはめ込まれたスライダー５２、５２も一体に回転するために、各スライダー５２の突起５２ｂがカム路４８’に沿って軸方向に移動する。シャープペンシル軸６２の保持体受け５０を支持するスライダー５２の突起５２ｂがカム路部４８’−１を前進して、シャープペンシル軸６２の先端が先具３４の先端開口３４ａから突出する。このとき、突起５２ｂは係止部４４’ｃ付近まで達すると、シャープペンシル軸６２の先具６２ｇが先端開口３４ａに当接して、それ以上前進することができないようになっており、芯タンク６２ａ、継手６２ｂ、チャック６２ｃ及びチャックリング６２ｄが、先具６２ｇ及びスリーブ６２ｅに対して前進して、公知の方法により芯が繰り出される。先具３４を回転する力を緩めると、リターンスプリング５４及びリターンスプリング６２ｆの付勢力によって、シャープペンシル軸６２を支持するスライダー５２の突起５２ｂが係止部４４’ｃへと後退して、図１５に示すように、シャープペンシル軸６２の先端が、先端開口３４ａから突出した位置に保持される。芯をさらに繰り出すには、先具３４を所定方向に回転して、シャープペンシル軸６２を支持するスライダー５２の突起５２ｂを係止部４４’ｃの位置からカム路部４８’−１の先端まで往復させることにより、芯を所定量づつ繰り出すことができる。
【００２７】
この実施形態においても、シャープペンシル軸６２である保持体は、その保持体受け５０の球状部５０ａが、スライダー５２の凹面部５２ａに支承されるために、シャープペンシル軸６２の先端はケーシング２０に引っ掛かることなく、抵抗を受けることもなく、ケーシング２０の先端開口３４ａから円滑に出没することができる。また、シャープペンシル軸６２は屈曲しなくて良いために、チャックを含む芯繰り出し機構の破損、曲がり、芯折れ等の不良の発生を防止することができる。
【００２８】
以上の実施形態の他に、保持具として、スタイラスチップが保持されたスタイラスペン軸、消しゴムが保持された消しゴム軸、固形糊が保持された固形糊軸、または口紅等の化粧材が保持された化粧軸、等とすることができる。これらのスタイラスペン軸、消しゴム軸または化粧軸等は、ボールペン軸と同様に構成することもでき、または、消しゴムや固体化粧材のように使用により消耗するタイプのものを保持した保持具の場合は、消しゴム及び化粧材を針材で保持し、この針材をシャープペンシル軸における芯と同様に繰り出し可能として、これによって消しゴム及び固体化粧材を繰り出すようにしてもよい。また、この実施形態では、２本の保持体を例にとって説明したが、これに限るものではなく、３本以上の保持体がケーシング２０内に収納される場合にも、同様に適用できることは勿論である。更に、上述した実施形態では、保持体に設けられた被支持部を球状部として構成し、支持部であるスライダーに前記球状部を受ける凹面部を形成した場合について説明したが、それとは逆に、スライダーに球状部を形成し、その球状部を受ける凹面部を保持体の被支持部に設けたものであってもよい。
【００２９】
また、以上で説明した実施形態では、複合保持具がキャップ１４となっており、このキャップ１４を筆記具本体１２から外して、その筆記先１２ａを露出させて、図１６に示すように、筆記具本体１２の後端にキャップ１４を被せることにより、筆記先１２ａを用いた筆記を行うことができる。
【００３１】
【発明の効果】
以上説明したように、本発明によれば、保持体の被支持部が支持部に対して回動自在に支持されるために、保持体の先端がケーシングの先端の先端開口から突出した状態において、保持体自体が大きく屈曲することなく、また、保持体がケーシングの内周面に当たって大きな抵抗を受けることなく、ケーシングの先端開口から保持体の先端が突出することができる。従って、保持体に大きな屈曲性を必要としないために、保持体を構成する材料または保持体の長さについて制約を受けず、設計の自由度を高めることができる。
【図面の簡単な説明】
【図１】本発明の第１実施形態による複合保持具が組み込まれたキャップを備えた筆記具の全体縦断面図である。
【図２】図１のキャップの拡大縦断面図である。
【図３】カムハウジングの斜視図及び後軸の部分破断斜視図である。
【図４】カムハウジングのカム面と後軸のカム面とによって形成されるカム路を表す展開図である。
【図５】スライド受け、スライダー、保持体受け及び保持体を表す分解斜視図である。
【図６】図１の６−６線に沿って見たスライド受けの係止片を表す断面図（説明のために一部省略している）である。
【図７】図１の７−７線に沿って見たスライド受け、保持体受け及びスライダーを表す断面図（説明のために一部省略している）である。
【図８】図１の矢印８方向から見たスライダーと保持体受けとを表す図である。
【図９】保持体受けを表す平面図である。
【図１０】スライド受けの（ａ）は縦断面図、（ｂ）は（ａ）の矢印ｂ方向から見た図である。
【図１１】第１実施形態において一方の保持体が突出した状態を表す縦断面図である。
【図１２】本発明の第２実施形態による複合保持具が組み込まれたキャップを表す図である。
【図１３】カムハウジングのカム面と後軸のカム面とによって形成されるカム路を表す展開図である。
【図１４】第２実施形態のカム路を表す説明斜視図である。
【図１５】第２実施形態において一方の保持体であるシャープペンシル軸が突出した状態を表す縦断面図である。
【図１６】第１実施形態の筆記具の使用状態を表す図である。
【符号の説明】
１０  筆記具
１４  キャップ
２０  ケーシング
２１、２２  ボールペン軸（保持体）
２４  繰出し機構
２６  操作機構
４８  カム路（繰出し機構）
５０  保持体受け（被支持部）
５０ａ  球状部
５２  スライダー（支持部）
５２ａ  凹面部
５２ｂ  突起（繰出し機構）
４８’  カム路（繰出し機構）
【図１】
0003897977.tif 000002
【図２】
0003897977.tif 000003
【図３】
0003897977.tif 000004
【図４】
0003897977.tif 000005
【図５】
0003897977.tif 000006
【図６】
0003897977.tif 000007
【図７】
0003897977.tif 000008
【図８】
0003897977.tif 000009
【図９】
0003897977.tif 000010
【図１０】
0003897977.tif 000011
【図１１】
0003897977.tif 000012
【図１２】
0003897977.tif 000013
【図１３】
0003897977.tif 000014
【図１４】
0003897977.tif 000015
【図１５】
0003897977.tif 000016
【図１６】
0003897977.tif 000017